(57)【要約】【課題】ＤＡＣの残留ノイズを最小限とすると共に、アナログ信号に対する多段ボリューム使用によるコストアップをも最小限とすることができる音量調整回路を提供する。【解決手段】第１の可変利得部２はデコーダ１から出力されるデジタル楽音データの音量を制御する。第２の可変利得部５はＤＡＣ３の出力の音量を制御する。マイコン１１は、つまみ７の設定値が０ｄＢ以上の場合は、第２の可変利得部５の利得を一定値とする一方、第１の可変利得部２の利得をつまみ７の設定値に対応する値とし、つまみ７の設定値が０ｄＢ以下で−３６ｄＢ以上の場合は、第１の可変利得部２の利得を一定値とする一方、第２の可変利得部５の利得をつまみ７の設定値に対応する値とし、つまみ７の設定値が−３６ｄＢ以下の場合は、第２の可変利得部５の利得を一定値とする一方、第１の可変利得部２の利得をつまみ７の設定値に対応する値とする。【選択図】　　図１
2004140650.tif 000002
【特許請求の範囲】
【請求項１】
デジタル楽音データをデジタル／アナログ変換器によってアナログ信号に変換し、該アナログ信号を増幅して出力する音響装置における音量調整回路において、
前記デジタル楽音データの音量を制御する第１の可変利得部と、
前記デジタル／アナログ変換器の出力の音量を制御する第２の可変利得部と、
音量設定操作子によって指定された利得に対応する前記第１の可変利得部および前記第２の可変利得部の各利得が記憶されたメモリと、
前記音量設定操作子によって指定された利得を受け、該利得に対応する前記第１の可変利得部および前記第２の可変利得部の各利得を前記メモリから読み出し、前記第１の可変利得部および前記第２の可変利得部に各々設定する制御手段と、
を具備することを特徴とする音量調整装置。
【請求項２】
補正値を記憶する補正メモリをさらに有し、前記制御手段は、前記音量設定操作子によって指定された利得を前記補正メモリ内のデータに基づいて変更し、この変更後の利得に対応する前記第１の可変利得部および前記第２の可変利得部の各利得を前記メモリから読み出し、前記第１の可変利得部および前記第２の可変利得部に各々設定することを特徴とする請求項１に記載の音量調整装置。
【請求項３】
デジタル楽音データをデジタル／アナログ変換器によってアナログ信号に変換し、該アナログ信号を増幅して出力する音響装置における音量調整回路において、
前記デジタル楽音データの音量を制御する第１の可変利得部と、
前記デジタル／アナログ変換器の出力の音量を制御する第２の可変利得部と、
音量設定操作子における設定値に基づいて前記第１の可変利得部および前記第２の可変利得部の各利得を制御する制御手段と、
を具備し、
前記制御手段は、前記音量設定操作子が第１の値以上の音量を指定した場合は、前記第２の可変利得部の利得を一定値とする一方、前記第１の可変利得部の利得を前記音量設定操作子の設定値に対応する値とし、
前記音量設定操作子が前記第１の値以下で第２の値より大きい音量を指定した場合は、前記第１の可変利得部の利得を一定値とする一方、前記第２の可変利得部の利得を前記音量設定操作子の設定値に対応する値とし、
前記音量設定操作子が前記第２の値以下の音量を指定した場合は、前記第２の可変利得部の利得を一定値とする一方、前記第１の可変利得部の利得を前記音量設定操作子の設定値に対応する値とすることを特徴とする音量調整装置。
【請求項４】
前記音量設定操作子の設定値と前記第１の可変利得部および前記第２の可変利得部の利得との対応関係を記憶させたメモリであって、前記音量設定操作子が第１の値以上の音量を指定した場合は、前記第２の可変利得部の利得を一定値とする一方、前記第１の可変利得部の利得を前記音量設定操作子の設定値に対応する値とし、前記音量設定操作子が前記第１の値以下で第２の値より大きい音量を指定した場合は、前記第１の可変利得部の利得を一定値とする一方、前記第２の可変利得部の利得を前記音量設定操作子の設定値に対応する値とし、前記音量設定操作子が前記第２の値以下の音量を指定した場合は、前記第２の可変利得部の利得を一定値とする一方、前記第１の可変利得部の利得を前記音量設定操作子の設定値に対応する値とする利得を記憶したメモリを具備し、
前記制御手段は、前記音量設定操作子の操作に応じて該メモリ内のデータを読み出し、読み出したデータに基づいて前記第１の可変利得部および前記第２の可変利得部の利得を制御することを特徴とする請求項３に記載の音量調整装置。
【請求項５】
前記制御手段は、予め内部に記憶されている補正値によって前記音量設定操作子の設定値を補正し、この補正後の設定値に基づいて前記メモリからデータを読み出し、前記第１の可変利得部および前記第２の可変利得部の各利得を制御することを特徴とする請求項４に記載の音量調整装置。
【請求項６】
前記第１の値は０ｄＢであることを特徴とする請求項３〜請求項５のいずれかの項に記載の音量調整装置。
【発明の詳細な説明】
【０００１】
【発明の属する技術分野】
この発明は、デジタルサラウンド方式によるホームシアターシステム等の音響装置に用いて好適な音量調整回路に関する。
【０００２】
【従来の技術】
図８に従来の音量調整回路を用いたホームシアターシステムの概略構成を示す。ＤＶＤプレーヤ等からの５．１ｃｈデジタルサラウンド信号はドルビーデジタルやＤＴＳ等の方式で圧縮エンコードされており、デジタルのビットストリームとして、ＤＳＰ−ＬＳＩ（デジタルシグナルプロセッサ−大規模集積回路）によるサラウンドデコーダ１ヘ入力される。ビットストリームはサラウンドデコーダ１の内部で各方式に基づきデコードされ、図のように５．１ｃｈのデジタルマルチチャンネル信号へ復元される。５．１ｃｈデジタルマルチチャンネル信号は、音量調整のための第１の可変利得部２、２・・・を経て出力され、ＤＡＣ（Ｄ／Ａコンバータ）３でアナログ信号に変換され、マルチチャンネルのパワーアンプ４を経て、フロントＬ，Ｃ，Ｒと左右サラウンドのＬＳ，ＲＳ信号、低音を受け持つサブウーファＳＷへと出力される。
【０００３】
音量調整のために設けられる操作手段の一例としてボリュームつまみ７を図示する。一般的な設計例における内部の利得設定や振幅状態について記すと、ボリュームつまみ７の０ｄＢ位置では図８におけるデジタル信号に対する可変利得部２は利得０ｄＢに設定され、サラウンドデコーダ１の出力はそのままＤＡＣ３ヘ入力される。ＤＡＣ３でアナログ信号に変換された後、パワーアンプ４ヘ入力される。ＤＡＣ３の最大出力振幅時にパワーアンプ４の出力の最大可能振幅が得られるように、パワーアンプ４の利得が決定される。つまりこの状態ではデコードされた最大出力時の波形が欠損することなくスピーカヘ出力される。
【０００４】
ボリュームつまみ７を＋側にまわすと、定格より小さなレベルにある信号をより大きく音量を上げて聞ける状態になる。逆に−側に回すとデコードされた信号を小さく減衰させるので、音量を小さく下げて聞ける状態になる。図９に可変利得部２の利得と、ボリュームつまみ７によって設定された利得との対応関係を示す。可変利得部２の利得は、つまみ７の位置で指定されるボリューム指定利得に応じて設定される。
【０００５】
さて、この方式による音量調整は、音量調整のための専用部品を必要としないので、コスト上昇を招くことなく機能実現できる特長がある。しかし、小音量で聞く場合に、ＤＡＣ３の残留ノイズが相対的に増大し、音質が損なわれる欠点がある。図１０にＤＡＣ３に１６ｂｉｔＤＡＣを使用した場合の小音量聴取時のＳ／Ｎ（信号とノイズの比）劣化の様子を示す。ＤＡＣ３本体は理想的な１６ｂｉｔＤＡＣ性能であるとし、１６ｂｉｔフルビット状態の信号を０ｄＢとすると、残留ノイズは概略−９６ｄＢとなり、信号とノイズの比であるＳ／Ｎ値は９６ｄＢとなる。音量を下げた−３０ｄＢ状態ではＤＡＣ３の出力は−３０ｄＢ、一方残留ノイズは変わらず−９６ｄＢであるから、Ｓ／Ｎ値は６６ｄＢと悪化していた。同様に、歪みも１６ｂｉｔ分解能から−３０ｄＢ＝５ｂｉｔ分劣化していた。
【０００６】
図１１は従来の他の音量調整回路を適用したホームシアターシステムの概略構成を示すブロック図である。このシステムにおいては、音量調整のため、ＤＡＣ３の後段にアナログ信号に対する可変利得部５、５・・・を設けている。図１２に、ボリュームつまみ７の指定利得と可変利得部５の利得との関係を示す。ＤＡＣ３の入力信号は音量調整値に依存せず、そのままの分解能が保たれる。問題は０ｄＢ以上のボリューム位置にして聴取音量を大きく聞く状態においては、ＤＡＣ３の残留ノイズを拡大して聞くので、図１３に示すように、無信号入力時に大きくなった残留ノイズが耳につく欠点があった。聴取音量を小さくして聞く状態では、図の数値例で示すように例えば−５０ｄＢを指定した場合、ノイズ量は−１４６ｄＢと実用上の必要範囲を超えて減衰しているといえる。また、この回路は、利得調整範囲をすべて可変利得部５で実現しているので、複数の抵抗体と電子スイッチで構成する電子ボリュームの場合、多数の電子スイッチ回路と抵抗体が必要となり、コストアップとなっていた。
【０００７】
その他の従来回路例として、特許文献１〜４が知られている。これらについて以下に説明する。
（１）特許文献１
第１図のように、デジタル信号処理部にデジタルボリューム、Ｄ／Ａ変換後にアナログボリュームを備え、利得１を超えるときアナログボリュームを利得１に固定し、デジタルボリュームで必要な利得設定を行い、利得１以下では、デジタルボリューム利得１に固定しアナログボリュームで必要な利得設定を行う。
【０００８】
この従来技術では最小利得までアナログボリュームでゲイン設定を行うので、アナログボリュームに要求される性能に過酷なものがあった。例えば基板上に塗布した抵抗体を分割抵抗とし機械的に接点位置を変える事で所望の減衰量を得る機械式ボリュームの場合は、−６０ｄＢ（１／１０００）を超える絞込み領域で精度良い減衰量を得るのは困難であり、マルチチャンネルサラウンド再生で重要な、各チャンネルの良好な音量の揃い具合を小音量で得るのは困難であった。この従来技術に記載されているように、ＶＣＡと呼ばれる可変利得アンプを使用すると、−１００ｄＢ程度のアンプ残留ノイズが一定量残る不都合があった。また多数の抵抗体を設け、電子スイッチで切り替えることで所望の分割比を得る回路で構成した場合は、絞り込み量に応じて多数の電子スイッチが必要となり、高いコストを生じていた。
【０００９】
（２）特許文献２
この従来技術は、特許文献１に記載されるものに対して、切り替わり利得位置を任意にし、デジタル信号処理の様子に応じて自由度を高めたもので、ある利得値以下最大絞込み量までをＤ／Ａ変換後のボリュームで行う点では特許文献１のものと同じであり、特許文献１のものが抱える問題点は同様に存在する。
【００１０】
（３）特許文献３
この特許文献３の図１に示されているブロック図は、先願である特許文献１の図１に示されている発明の基本構成と構成要素を同じくする。この特許文献３の新規な点は、デジタル領域、アナログ領域の二点において一方を主調整、他方を微調整とし、複合して希望の調整ステップの細かさを経済的に実現できる点にあり、副次的にＤ／Ａ変換後の減衰量に応じて残留ノイズの低減が得られる。このように、範囲は広いが粗いステップの調整と、範囲は少ないが細かなステップの調整を組み合わせた場合、それぞれの切り替わりの組み合わせで実現する減衰量の差を一様にすることが難しく、音量を連続して可変していく時の単調な増減持性を得ることが困難である。
【００１１】
また、この特許文献３には、音量可変域の領域に応じて、デジタル減衰器とアナログ減衰器を使い分ける概念はない。また、この特許文献３においては、特性の良いアナログ電子ボリュームが高価なこと、製造上の困難さも論じられており、本願で解決を目的としている課題が触れられている。
【００１２】
（４）特許文献４
この特許文献４は、デジタル信号処理部でのデジタルゲインコントロールと、Ｄ／Ａコンバータ自体のＤ／Ａ変換ゲインを連動制御して音量調節する発明であり、Ｄ／Ａ変換ゲインを可変することに伴う特性劣化を低減するように、デジタル部のゲインコントロールを併用するものである。アナログ部のゲイン調整をＤ／Ａコンバータの変換ゲインを用いる点で本願とは異なる。一般にＤ／Ａコンバータの基準電圧等を可変して変換ゲインを変える方式は、歪やノイズの増加を伴い、特性的に劣化する欠点がある。
【００１３】
【特許文献１】
特公平４−４５００４号公報
【特許文献２】
特開２０００−１７４５７４号公報
【特許文献３】
特開平９−１５３７４８号公報
【特許文献４】
特開昭５８−１４６１１４号公報
【００１４】
【発明が解決しようとする課題】
この発明は、上述した事情を考慮してなされたもので、その目的は、ＤＡＣの残留ノイズを最小限に押さえることができ、しかも、アナログ信号に対する多段ボリューム使用によるコストアップをも最小限とすることができる音量調整回路を提供することにある。
【００１５】
【課題を解決するための手段】
この発明は上記の課題を解決するためになされたもので、請求項１に記載の発明は、デジタル楽音データをデジタル／アナログ変換器によってアナログ信号に変換し、該アナログ信号を増幅して出力する音響装置における音量調整回路において、前記デジタル楽音データの音量を制御する第１の可変利得部と、前記デジタル／アナログ変換器の出力の音量を制御する第２の可変利得部と、音量設定操作子によって指定された利得に対応する前記第１の可変利得部および前記第２の可変利得部の各利得が記憶されたメモリと、前記音量設定操作子によって指定された利得を受け、該利得に対応する前記第１の可変利得部および前記第２の可変利得部の各利得を前記メモリから読み出し、前記第１の可変利得部および前記第２の可変利得部に各々設定する制御手段とを具備することを特徴とする音量調整装置である。
【００１６】
請求項２に記載の発明は、請求項１に記載の音量調整装置において、補正値を記憶する補正メモリをさらに有し、前記制御手段は、前記音量設定操作子によって指定された利得を前記補正メモリ内のデータに基づいて変更し、この変更後の利得に対応する前記第１の可変利得部および前記第２の可変利得部の各利得を前記メモリから読み出し、前記第１の可変利得部および前記第２の可変利得部に各々設定することを特徴とする。
【００１７】
請求項３に記載の発明は、デジタル楽音データをデジタル／アナログ変換器によってアナログ信号に変換し、該アナログ信号を増幅して出力する音響装置における音量調整回路において、前記デジタル楽音データの音量を制御する第１の可変利得部と、前記デジタル／アナログ変換器の出力の音量を制御する第２の可変利得部と、音量設定操作子における設定値に基づいて前記第１の可変利得部および前記第２の可変利得部の各利得を制御する制御手段とを具備し、前記制御手段は、前記音量設定操作子が第１の値以上の音量を指定した場合は、前記第２の可変利得部の利得を一定値とする一方、前記第１の可変利得部の利得を前記音量設定操作子の設定値に対応する値とし、前記音量設定操作子が前記第１の値以下で第２の値より大きい音量を指定した場合は、前記第１の可変利得部の利得を一定値とする一方、前記第２の可変利得部の利得を前記音量設定操作子の設定値に対応する値とし、前記音量設定操作子が前記第２の値以下の音量を指定した場合は、前記第２の可変利得部の利得を一定値とする一方、前記第１の可変利得部の利得を前記音量設定操作子の設定値に対応する値とすることを特徴とする音量調整装置である。
【００１８】
請求項４に記載の発明は、請求項３に記載の音量調整装置において、前記音量設定操作子の設定値と前記第１の可変利得部および前記第２の可変利得部の利得との対応関係を記憶させたメモリであって、前記音量設定操作子が第１の値以上の音量を指定した場合は、前記第２の可変利得部の利得を一定値とする一方、前記第１の可変利得部の利得を前記音量設定操作子の設定値に対応する値とし、前記音量設定操作子が前記第１の値以下で第２の値より大きい音量を指定した場合は、前記第１の可変利得部の利得を一定値とする一方、前記第２の可変利得部の利得を前記音量設定操作子の設定値に対応する値とし、前記音量設定操作子が前記第２の値以下の音量を指定した場合は、前記第２の可変利得部の利得を一定値とする一方、前記第１の可変利得部の利得を前記音量設定操作子の設定値に対応する値とする利得を記憶したメモリを具備し、前記制御手段は、前記音量設定操作子の操作に応じて該メモリ内のデータを読み出し、読み出したデータに基づいて前記第１の可変利得部および前記第２の可変利得部の利得を制御することを特徴とする。
【００１９】
請求項５に記載の発明は、請求項４に記載の音量調整装置において、前記制御手段は、予め内部に記憶されている補正値によって前記音量設定操作子の設定値を補正し、この補正後の設定値に基づいて前記メモリからデータを読み出し、前記第１の可変利得部および前記第２の可変利得部の各利得を制御することを特徴とする。
請求項６に記載の発明は、請求項３〜請求項５のいずれかの項に記載の音量調整装置において、前記第１の値は０ｄＢであることを特徴とする。
【００２０】
【発明の実施の形態】
以下、図面を参照し、この発明の一実施の形態について説明する。図１は同実施の形態による音量調整回路を適用したホームシアターシステムの構成を示すブロック図であり、この図において、前述した図８および図１１の各部に対応する部分には同一の符号が付してある。この図において、１はサラウンドデコーダ、２、２・・・はサラウンドデコーダ１から出力されるデジタルチャンネル信号の音量を調整する第１の可変利得部、３は第１の可変利得部２の出力をアナログ信号に変換するＤＡＣ、５，５・・・はＤＡＣ３から出力されるアナログチャンネル信号の音量を調整する第２の可変利得部、４はパワーアンプ、７はボリュームつまみである。このように、図１のシステムが図８のシステムと異なる点は、ＤＡＣ３の後段に第２の可変利得部５が設けられている点である。
【００２１】
次に、上述したシステムにおける音量制御について、すなわち、第１の可変利得部２および第２の可変利得部５の利得制御について説明する。
図において、１１は第１の可変利得部２および第２の可変利得部５の利得を制御するマイクロコンピュータ、１２〜１５は各々、Ｃチャンネル、ＬＳチャンネル、ＲＳチャンネル、ＳＷチャンネルの各音量を補正するための補正値βが記憶されたメモリである。また、１６はマイクロコンピュータ１１から出力される指定利得と第１の可変利得部２および第２の可変利得部５に設定すべき利得との対応関係が記憶されたメモリである。図２はメモリ１６内に設定されたデータを示す図であり、この図においてＡ利得は第１の可変利得部２に設定すべき利得を示し、Ｂ利得は第２の可変利得部５に設定すべき利得を示す。
【００２２】
このような構成において、ユーザがボリュームつまみ７を操作すると、操作後のボリュームつまみ７によって指定される利得αがマイクロコンピュータ１１へ入力される。マイクロコンピュータ１１はその利得αを受け、まず、その利得αを指定利得としてメモリ１６へアクセスし、その指定利得αに対応するＡ利得およびＢ利得を読み出す。例えば、指定利得が＋５ｄＢであった場合は、図２に示すように、
Ａ利得＝＋５ｄｂ　　Ｂ利得＝＋０ｄＢ
がマイクロコンピュータ１１により読み出される。マイクロコンピュータ１１はメモリ１６から読み出されたＡ利得およびＢ利得を各々のチャンネルに対応する第１の可変利得部２および第２の可変利得部５に設定する。
【００２３】
次に、マイクロコンピュータ１１は、必要に応じてＣ、ＬＳ、ＲＳ、ＳＷチャンネルに対して音量を補正する。この補正は、スピーカの大きさ、能率等が異なることにより、Ｌ、Ｒ、Ｃ、ＬＳ、ＲＳ、ＳＷチャンネルの各スピーカから出力される音量が異なることを補う為のものである。まず、Ｃチャンネルに対しては、メモリ１２から補正値βを読み出し、読み出した値に利得αを加算する。そして、その加算結果を指定利得としてメモリ１６へ出力する。図３に補正値βが「＋５ｄＢ」であった場合の、利得αに対応する指定利得を示す。上述した指定利得がメモリ１６へ出力されると、その指定利得に対応するＡ利得およびＢ利得がメモリ１６から読み出され、マイクロコンピュータ１１へ出力される。マイクロコンピュータ１１はメモリ１６から読み出されたＡ利得およびＢ利得を各々Ｃチャンネルに対応する第１の可変利得部２および第２の可変利得部５に設定する。以下、同様にして、ＬＳ、ＲＳ、ＳＷチャンネルの各第１の可変利得部２および第２の可変利得部５の利得が設定される。
【００２４】
ここで、メモリ１６内のＡ利得およびＢ利得は各々次のように設定されている（図２参照）。
（１）指定利得が０ｄＢ以上の場合
Ａ利得＝指定利得
Ｂ利得＝０ｄＢ
（２）指定利得が−３６ｄＢ〜０ｄＢの場合
Ａ利得＝０ｄＢ
Ｂ利得＝指定利得
（３）指定利得が−３６ｄＢ以下の場合
Ａ利得＝指定利得＋３６ｄＢ
Ｂ利得＝−３６ｄＢ
すなわち、Ａ利得の設定値は指定利得に対し図４のように変化し、Ｂ利得の設定値は指定利得に対し図５のように変化する。そして、Ａ利得およびＢ利得のトータルの利得Ａ×Ｂは図６に示すように傾きが一定の直線となる。
【００２５】
図７は音量調整回路における残留ノイズの大きさを、信号増幅利得との対応の上で示した図である。この図に示すように、指定利得が０ｄＢ以上の場合は、第２の可変利得部５の利得が一定であるので、残留ノイズも−９６ｄＢ一定となる。また、指定利得が０ｄＢ〜−３６ｄＢの場合は、第２の可変利得部５の利得が逐次減少するの、それに伴い、残留ノイズも減少する。また、指定利得が−３６ｄＢ以下の場合は、第２の可変利得部５の利得が一定であるので、残留ノイズも−１３２ｄＢ一定となる。
【００２６】
ここで、利得モード切替点である−３６ｄＢの値は、残留ノイズ低減効果期待値によって決められている。すなわち、−３６ｄＢの場合は、上述したように低音量域において残留ノイズが−１３２ｄＢとなるが、−３６ｄＢより高い値に設定すると、残留ノイズもそれに応じて大きくなり、Ｓ／Ｎも劣化する。したがって、この切替点は残留ノイズの値およびＳ／Ｎの値から決められる。
【００２７】
上述したように、上記実施形態においては、指定利得が０ｄＢ以上の範囲では、残留ノイズは変化することなく−９６ｄＢで一定であり、従来の図１３のように−７６ｄＢまで悪化するようなノイズの増大は無い。また、指定利得が０ｄＢ〜−３６ｄＢの範囲では、残留ノイズも信号に比例して減衰していき、従来の図１０のようなＳ／Ｎの悪化を伴うノイズの増大は生じない。また、指定利得が−３６ｄＢ以下の範囲においては、残留ノイズは−１３２ｄＢで一定になるが、充分に低い値である。
【００２８】
このように、上記実施形態においては、３６ｄＢ分の第２の可変利得部５を設けて特別な制御を行うことで良好な総合特性が得られる。この場合、第２の可変利得部５を１ｄＢステップとすれば、制御スイッチは３６段階で済む。従来の図１１に示すものでは、１００段階の制御スイッチを要したのに比較してコスト的には約１／３で済む。また、各スピーカの音量差を補正するための補正値βの与え方も、ボリュームつまみ７の設定値である利得αに対して補正を行うことで、このシステムの改善効果を同様に保ちながら必要とする補正効果が得られる。
【００２９】
また、上述した利得モードの切替点−３６ｄＢは、使用するＤＡＣ３の実際の残留ノイズ性能に応じて、最小残留ノイズを概略可聴限界値あたりまで改善することを狙って決められている。すなわち、使用するＤＡＣの残留ノイズ実力値が１６ｂｉｔ相等となる−９６ｄＢの場合−３６ｄＢを選択し、小音量聴取時の最小残留ノイズを−１３２ｄＢを得、一般に−１２０〜−１３０ｄＢといわれる最小可聴レベル以下にまで低減している。同様に、例えば、使用ＤＡＣの残留ノイズ実力値が１８ｂｉｔ相等の−１０８ｄＢの場合は、切替点として−２４ｄＢを選択すれば、小音量聴取時の最小残留ノイズを同じく−１３２ｄＢとすることができる。
【００３０】
また、従来技術で説明したような、ＤＡＣの基準電圧等を可変して変換ゲインを変える方式では、歪やノイズの増加を伴い、特性的に劣化する。本実施形態では、Ｄ／Ａ変換ゲインは固定であり、最も有利な条件でＤ／Ａ変換を行い、しかるのちに経済的で特性に優れた音量調節機能を提供するものである。
【００３１】
【発明の効果】
以上説明したように、この発明によれば、ＤＡＣの残留ノイズを最小限に押さえることができ、したがって、良好なＳ／Ｎを得ることができ、しかも、アナログ信号に対する多段ボリューム使用によるコストアップをも最小限とすることができる効果がある。
【図面の簡単な説明】
【図１】この発明の一実施形態による音量調整回路を適用したホームシアターシステムの構成を示すブロック図である。
【図２】同実施形態におけるメモリ１６内のデータを示す図である。
【図３】同実施形態におけるボリュームつまみ７の設定値α、補正値βと指定利得との関係例を示す図である。
【図４】同実施形態における第１の可変利得部２の利得変化を示す図である。
【図５】同実施形態における第２の可変利得部５の利得変化を示す図である。
【図６】同実施形態における第１の可変利得部２および第２の可変利得部５の総合利得の変化を示す図である。
【図７】同実施形態における残留ノイズのレベルを信号レベルとの対応の上で示す図である。
【図８】従来の音量調整回路を適用したホームシアターシステムの構成を示すブロック図である。
【図９】図８におけるボリュームつまみ７の設定利得と第１の可変利得部２の利得との関係を示す図である。
【図１０】図８の回路における残留ノイズのレベルを信号レベルとの対応の上で示す図である。
【図１１】従来の他の音量調整回路を適用したホームシアターシステムの構成を示すブロック図である。
【図１２】図１１におけるボリュームつまみ７の設定利得と第２の可変利得部２の利得との関係を示す図である。
【図１３】図１１の回路における残留ノイズのレベルを信号レベルとの対応の上で示す図である。
【符号の説明】
１…サラウンドデコーダ、２…第１の可変利得部、３…ＤＡＣ、４…パワーアンプ、５…第２の可変利得部、７…ボリュームつまみ、１１…マイクロコンピュータ、１２〜１６…メモリ。
【図１】
2004140650.tif 000003
【図２】
2004140650.tif 000004
【図３】
2004140650.tif 000005
【図４】
2004140650.tif 000006
【図５】
2004140650.tif 000007
【図６】
2004140650.tif 000008
【図７】
2004140650.tif 000009
【図８】
2004140650.tif 000010
【図９】
2004140650.tif 000011
【図１０】
2004140650.tif 000012
【図１１】
2004140650.tif 000013
【図１２】
2004140650.tif 000014
【図１３】
2004140650.tif 000015